【手続補正書】
【提出日】令和2年8月19日(2020.8.19)
【手続補正１】
【補正対象書類名】明細書
【補正対象項目名】００２０
【補正方法】変更
【補正の内容】
【００２０】
本態様によれば、雌端子金具において、雄端子挿通筒部を間に挟んだ両側に電線接続部と一対の重ね板部が設けられていることから、雄端子が圧接される接続部と電線接続部の間に一対の重ね板部を付勢する付勢手段を配設する必要がなく、雌端子の接続部と電線接続部間の電流経路を短くすることができる。これにより、導体抵抗も小さくすることができ、雌端子の性能向上を図ることができる。
【手続補正２】
【補正対象書類名】明細書
【補正対象項目名】００２１
【補正方法】変更
【補正の内容】
【００２１】
本発明の第六の態様は、前記第四または第五の態様に記載のものにおいて、前記雌端子金具が、前記第一分離部の一方に連接する前記一対の重ね板部の一方と、前記第一分離部の一方から前記第二分離部の一方に延びる前記雄端子挿通筒部の周壁と、前記第二分離部の一方から延び出す前記延出板部の一方とを一体的に構成する第一板金具と、前記第一分離部の他方に連接する前記一対の重ね板部の他方と、前記第一分離部の他方から前記第二分離部の他方に延びる前記雄端子挿通筒部の前記周壁と、前記第二分離部の他方から延び出す前記延出板部の他方とを一体的に構成する第二板金具とを含んでおり、前記第一板金具と前記第二板金具が相互に重ね合されることにより、前記第一および第二板金具の長手方向の中央部分に前記雄端子挿通筒部が構成され、前記長手方向の基端側に前記電線接続部が構成され、前記長手方向の先端側に前記一対の重ね板部を相互に重ね合せて付勢する前記付勢手段が配設されている一方、前記第一板金具と前記第二板金具の板厚寸法が相互に異なっているものである。
【手続補正３】
【補正対象書類名】明細書
【補正対象項目名】００２６
【補正方法】変更
【補正の内容】
【００２６】
本態様によれば、全体が平板形状とされて、板厚が小さい第一板金具に対して、板厚が大きく且つ長手方向両側が平板形状で長手方向中央部分が雄端子挿通筒部の周壁を構成する凸状部とされた第二板金具が重ね合されて、雌端子金具が構成されている。それゆえ、雄端子が雄端子挿通筒部に挿通された際に、板厚の大きい凸状部の雄端子への密着性を向上させることができ、雌雄端子間の低抵抗化を図ることができ、雌端子の性能向上を図ることができる。
【手続補正４】
【補正対象書類名】明細書
【補正対象項目名】００３０
【補正方法】変更
【補正の内容】
【００３０】
本態様によれば、雄端子挿通筒部の内面が雄端子の圧入方向における先端側に向かって次第に小径となるテーパ形状を有していることから、雄端子の雄端子挿通筒部への挿入当初の挿入力を低減させることができる。特に、雄端子の先端部が雄端子挿通筒部の内面と相似のテーパ形状とされている場合には、雄端子が雄端子挿通筒部に完全に圧入されるまでは挿入力は発生しない一方、雄端子が雄端子挿通筒部から抜く際には少し引っ張るだけで可能であることから、雄端子の雄端子挿通筒部に対する挿抜力を大幅に低減することができる。
【手続補正５】
【補正対象書類名】明細書
【補正対象項目名】００４４
【補正方法】変更
【補正の内容】
【００４４】
このような構成とされた雌端子金具１６に対してケース２０が組み付けられている（例えば、図４参照）。かかるケース２０は、プレス加工や打抜き加工等が可能な種々の金属材料、例えば真鍮や銅、銅合金、アルミニウム、アルミニウム合金、ステンレス等を用いて形成されている。そして、ケース２０は、雌端子金具１６の一対の重ね板部２５ａ，２５ｂの一方２５ａの上方に収容空所１８が配設されるように、雌端子金具１６に対して組み付けられている。より詳細には、かかる組み付け状態において、ケース２０は、収容空所１８を介して一対の重ね板部２５ａ，２５ｂの一方２５ａに対向する略矩形平板形状の対向壁４０を有している。また、ケース２０は、対向壁４０の幅方向（図２中、上下方向）の両側縁部から下方に向かって延び出す略矩形平板状の一対の壁部４２，４２を有しており、対向壁４０と一対の壁部４２，４２によって収容空所１８が構成されている。さらに、ケース２０は、一対の壁部４２，４２の延出端部において、下方に向かって突設された略矩形平板状の加締め部４４と、一方側（図２中、下側）の壁部４２において一対の重ね板部２５ａ，２５ｂの他方２５ｂ上（図５参照）に位置する幅方向（図２中、左右方向）の両側縁部から幅方向外方に向かって突出後に板厚方向（図２中、上下方向）外方に向かって突出する略平板状の係合突起４６と、を有している。加えて、対向壁４０の長手方向（図２中、左右方向）の両側縁部には、幅方向（図２中、上下方向）の略全長に亘って下方に向かって突出するコイルばね保持壁４８が設けられている（図１，４参照）。
【手続補正６】
【補正対象書類名】明細書
【補正対象項目名】００４８
【補正方法】変更
【補正の内容】
【００４８】
このような構造とされた本実施形態の雌端子１０によれば、付勢手段を構成するばね部材であるコイルばね５０は、雌端子金具１６に保持されていることから、従来のように雄端子１２を雌端子１０に導通接続した後に別体のばね部材等を取り付ける必要がない。それゆえ、作業工程の簡素化を図ることができ、雌端子１０と雄端子１２間の高い接圧を優れた作業性により実現することができる。また、雌端子１０の雄端子挿通筒部２６に雄端子１２が圧入される際に、付勢手段であるコイルばね５０の付勢力に抗して一対の重ね板部２５ａ，２５ｂの一方２５ａが他方２５ｂに対して雄端子挿通筒部２６側に向かってスライド変位されることにより、雄端子挿通筒部２６が拡径方向に弾性変形して雄端子１２の雄端子挿通筒部２６への圧入が許容される。そして、雄端子挿通筒部２６の弾性復帰力により雄端子挿通筒部２６の内面２８によって構成される接続部１４が雄端子１２に圧接されることとなり、雌端子１０と雄端子１２間の大きな接圧が確保されるようになっている。かかるスライド変位の方向（図４中、左方向）とコイルばね５０による付勢方向（図４，６中、矢印の方向）が異ならされていることから、雄端子１２を雌端子１０の接続部１４を構成する雄端子挿通筒部２６の内面２８に挿入する際の挿入力を有利に低減しつつ接圧状態を安定して保持することが可能となっている。さらに、雄端子１２に何らかの外力が加わった場合でも、かかる外力は雌端子１０の雄端子挿通筒部２６の径方向外方に伝達され、一対の重ね板部２５ａ，２５ｂが相互にスライド変位する方向に伝達されることから、外力の伝達方向とコイルばね５０による付勢方向（図４，６中、矢印の方向）が異ならされている。それゆえ、かかる外力によって雌端子１０と雄端子１２間の接圧が変動することを有利に低減乃至は防止することができることから、雌端子１０と雄端子１２間の導通安定性の向上も確保することができる。
【手続補正７】
【補正対象書類名】明細書
【補正対象項目名】００５１
【補正方法】変更
【補正の内容】
【００５１】
次に、図７〜１２を用いて、本発明の第二の実施形態としての雌端子５２について詳述するが、上記実施形態と同様な構造とされた部材および部位については、図中に、上記実施形態と同一の符号を付することにより、それらの詳細な説明を省略する。本実施形態では、雌端子金具５４が、雄端子挿通筒部５６の周方向の他の一か所において、軸方向全長に亘って延びる一対の第二分離部５８，５８がさらに設けられている点に関して、上記第一の実施形態と異なる実施形態を示すものである。より詳細には、雌端子金具５４において雄端子挿通筒部５６の周方向の一か所（図１０中、左側）に一対の第一分離部２９，２９が形成されており、かかる一対の第一分離部２９，２９に連接して外方（図１０中、左方）に向かって突出する一対の重ね板部２５ａ，２５ｂが設けられている。一方、一対の第一分離部２９，２９に対して雄端子挿通筒部５６の径方向で対向する雄端子挿通筒部５６の周方向の他の一か所には一対の第二分離部５８，５８が形成されており、かかる一対の第二分離部５８，５８に連接して外方（図１０中、右方）に向かって突出する一対の延出板部６０，６０がさらに設けられている。そして、一対の重ね板部２５ａ，２５ｂが相互に接近する方向（図１０，１２中、矢印の方向）に向かって付勢されている一方、一対の延出板部６０，６０が相互に重ね合されることにより電線接続部３０が構成されている。本実施形態では、一対の延出板部６０，６０が抵抗溶接等の公知の任意の手段を用いて相互に固着されて一体化されている。この結果、雌端子金具５４の長手方向（図１０中、左右方向）において、電線接続部３０と一対の重ね板部２５ａ，２５ｂの間に、雄端子挿通筒部５６が配設されているのである。なお、本実施形態では、雌端子金具５４は、帯状の金属平板２２を用いて構成されており、金属平板２２の長手方向の一端部２３が他端部２４（図１０中、左側）上に向かって２つ折り状に折り重ねられている。かかる一端部２３が他端部２４（図１０中、左側）上に折り重ねられた状態で重ね合わせ面の長手方向（図１０中、左右方向）の中間部分が相互に離隔する方向に向かって湾曲されることにより、略円筒状の雄端子挿通筒部２６が構成されるようになっている。なお、一対の延出板部６０，６０は相互に重ね合せた状態で電線接続部３０を構成することができ、かかる電線接続部３０に対して電線３２の芯線３４を溶接する際に、同時に相互に溶接することで作業性の効率化を図ることができる。
【手続補正８】
【補正対象書類名】明細書
【補正対象項目名】００５２
【補正方法】変更
【補正の内容】
【００５２】
このような構造とされた本実施形態の雌端子５２においても、上記第一の実施形態と同様に、付勢手段を構成するばね部材であるコイルばね５０は、雌端子金具５４に保持されていることから、従来のように雄端子１２を雌端子５２に導通接続した後に別体のばね部材等を取り付ける必要がない。それゆえ、作業工程の簡素化を図ることができ、雌端子５２と雄端子１２間の高い接圧を優れた作業性により実現することができる。また、雌端子５２の雄端子挿通筒部５６に雄端子１２が圧入される際に、付勢手段であるコイルばね５０の付勢力に抗して一対の重ね板部２５ａ，２５ｂの一方２５ａが他方２５ｂに対して雄端子挿通筒部５６側に向かってスライド変位されることにより、雄端子挿通筒部５６が拡径方向に弾性変形して雄端子１２の雄端子挿通筒部５６への圧入が許容される。そして、雄端子挿通筒部５６の弾性復帰力により雄端子挿通筒部５６の内面２８によって構成される接続部１４が雄端子１２に圧接されることとなり、雌端子５２と雄端子１２間の大きな接圧が確保されるようになっている。
【手続補正９】
【補正対象書類名】明細書
【補正対象項目名】００５３
【補正方法】変更
【補正の内容】
【００５３】
本実施形態によれば、雄端子挿通筒部５６に設けられた一対の第二分離部５８，５８から延び出す一対の延出板部６０，６０が相互に重ね合されることにより、電線接続部３０が設けられている。これにより、一対の第二分離部５８，５８から延び出す一対の延出板部６０，６０の双方を電流経路とすることができることから、一対の延出板部６０，６０が相互に重ね合された電線接続部３０の断面積を有利に確保することができ、より多くの電流を流すことができる。それゆえ、雄端子挿通筒部５６の板厚寸法を薄くしつつ電線接続部３０の断面積を確保することができることから、雄端子挿通筒部５６の弾性変形を容易にして雄端子１２の雄端子挿通筒部５６への挿入力の低減を可能にしつつ電流経路の断面積を確保することが可能となる。また、電線接続部３０と一対の重ね板部２５ａ，２５ｂの間に、雄端子挿通筒部５６が構成配置されていることから、上記第一の実施形態のように雄端子１２が圧接される雄端子挿通筒部５６と電線接続部３０の間に付勢手段であるコイルばね５０を配設する必要がないことから、雌端子５２の接続部１４と電線接続部３０間の電流経路を短くすることができ、抵抗の低減を図ることができる。
【手続補正１０】
【補正対象書類名】明細書
【補正対象項目名】００５４
【補正方法】変更
【補正の内容】
【００５４】
続いて、図１３を用いて、本発明の第三の実施形態としての雌端子６２について詳述するが、上記実施形態と同様な構造とされた部材および部位については、図中に、上記実施形態と同一の符号を付することにより、それらの詳細な説明を省略する。本実施形態では、雌端子金具６４が第一板金具６６と第二板金具６８とを含んでおり、第一板金具６６と第二板金具６８の板厚寸法が相互に異なっている点に関して、上記第二の実施形態と異なる実施形態を示すものである。より詳細には、第一板金具６６は、一対の第一分離部２９，２９の一方側（図１３中、下側）に連接する一対の重ね板部２５ａ，２５ｂの一方２５ｂと、一対の第一分離部２９，２９の一方側から一対の第二分離部５８，５８の一方側（図１３中、下側）に延びる雄端子挿通筒部７０の周壁と、一対の第二分離部５８，５８の一方側から延び出す一対の延出板部６０，６０の一方側（図１３中、下側）とを一体的に構成することにより形成されている。一方、第二板金具６８は、一対の第一分離部２９，２９の他方側（図１３中、上側）に連接する一対の重ね板部２５ａ，２５ｂの一方２５ａと、一対の第一分離部２９，２９の他方側から一対の第二分離部５８，５８の他方側（図１３中、上側）に延びる雄端子挿通筒部７０の周壁と、一対の第二分離部５８，５８の他方側から延び出す一対の延出板部６０，６０の他方側（図１３中、上側）とを一体的に構成することにより形成されている。そして、かかる第一板金具６６と第二板金具６８が相互に重ね合されることにより、第一板金具６６と第二板金具６８の長手方向（図１３中、左右方向）の中央部分に雄端子挿通筒部７０が構成され、長手方向の基端側（図１３中、右側）に第一板金具６６と第二板金具６８が固着された電線接続部３０が構成され、長手方向の先端側（図１３中、左側）に一対の重ね板部２５ａ，２５ｂを相互に重ね合せて付勢する付勢手段を構成するコイルばね５０が配設されている。なお、本実施形態では、第一板金具６６と第二板金具６８はそれぞれ平板状の金属平板７２ａ，７２ｂを用いて構成されており、金属平板７２ａが金属平板７２ｂよりも板厚寸法が大きくされている。そして、第一板金具６６が略平板形状のままとされている一方、かかる第一板金具６６に重ね合される第二板金具６８は、長手方向（図１３中、左右方向）の両端部が平板形状のままとされていると共に、長手方向の中央部分において雄端子挿通筒部７０の周壁を構成して第一板金具６６から離隔する方向に凸となる凸形断面で板幅方向に亘って突出する凸状部７４を含んで構成されている。
【手続補正１１】
【補正対象書類名】明細書
【補正対象項目名】００５５
【補正方法】変更
【補正の内容】
【００５５】
このような構造とされた本実施形態の雌端子６２においても、上記第一の実施形態と同様に、付勢手段を構成するばね部材であるコイルばね５０は、雌端子金具６４に保持されていることから、従来のように雄端子１２を雌端子６２に導通接続した後に別体のばね部材等を取り付ける必要がない。それゆえ、作業工程の簡素化を図ることができ、雌端子６２と雄端子１２間の高い接圧を優れた作業性により実現することができる。また、雌端子６２の雄端子挿通筒部７０に雄端子１２が圧入される際に、付勢手段であるコイルばね５０の付勢力に抗して一対の重ね板部２５ａ，２５ｂの一方２５ａが他方２５ｂに対して雄端子挿通筒部７０側に向かってスライド変位されることにより、雄端子挿通筒部７０が拡径方向に弾性変形して雄端子１２の雄端子挿通筒部７０への圧入が許容される。そして、雄端子挿通筒部７０の弾性復帰力により雄端子挿通筒部７０の内面２８によって構成される接続部１４が雄端子１２に圧接されることとなり、雌端子６２と雄端子１２間の大きな接圧が確保されるようになっている。
【手続補正１２】
【補正対象書類名】明細書
【補正対象項目名】００６１
【補正方法】変更
【補正の内容】
【００６１】
このような構造とされた本実施形態の雌端子９８においても、上記第一の実施形態と同様に、付勢手段を構成するばね部材であるコイルばね５０は、雌端子金具１００に保持されていることから、従来のように雄端子１２を雌端子９８に導通接続した後に別体のばね部材等を取り付ける必要がない。それゆえ、作業工程の簡素化を図ることができ、雌端子９８と雄端子１２間の高い接圧を優れた作業性により実現することができる。
【手続補正１３】
【補正対象書類名】明細書
【補正対象項目名】００６３
【補正方法】変更
【補正の内容】
【００６３】
以上、本発明の複数の実施形態について詳述したが、本発明はこれらの具体的な記載によって限定されない。例えば、上記実施形態では、付勢手段としてコイルばね５０を例示して説明を行ったが、付勢手段はこれに限定されず、例えば板ばねや皿ばね等のばね部材や、ゴム弾性体等の弾性体などの周知の付勢力を付与する部材の何れも採用可能である。また、上記実施形態では、コイルばね５０はケース２０を介して雌端子金具１６，５４，６４，１００に間接的に保持されていたが、直接的に保持されていてもよい。
【手続補正１４】
【補正対象書類名】明細書
【補正対象項目名】００６４
【補正方法】変更
【補正の内容】
【００６４】
さらに、上記実施形態では、雄端子挿通筒部２６，５６，７０，８２，８８，９２，１０２の軸方向に直交する方向に電線接続部３０に固着された電線３２が延び出していたが、雄端子挿通筒部２６，５６，７０，８２，８８，９２，１０２の軸方向に電線３２が延び出すように電線接続部３０に固着されていてもよい。加えて、上記実施形態においては、ケース２０は金属製であったが、十分な剛性を有する部材であればよく、合成樹脂等の採用が可能である。
【手続補正１５】
【補正対象書類名】明細書
【補正対象項目名】００６６
【補正方法】変更
【補正の内容】
【００６６】
さらに、上記第二〜第七の実施形態では、第二分離部５８，１０４の周方向位置は、第一分離部２９に軸直角方向で対向する位置に設けられていたが、これに限定されない。例えば、第一分離部２９と第二分離部５８，１０４が周方向で９０°離隔する位置に設けられて、重ね板部２５ａ，２５ｂと延出板部６０，１０６が直交方向に突出するように構成されていてもよい。これにより、雌端子５２，６２，７６，８６，９０の設計自由度を向上することができる。
【手続補正１６】
【補正対象書類名】明細書
【補正対象項目名】００６７
【補正方法】変更
【補正の内容】
【００６７】
１０，５２，６２，７６，８６，９０，９８：雌端子、１２，９４：雄端子、１４：接続部、１６，５４，６４，１００：雌端子金具、１８：収容空所、２０：ケース、２２，７２ａ，ｂ：金属平板、２３：一端部、２４：他端部、２５ａ，ｂ：重ね板部、２６，５６，７０，８２，８８，９２，１０２：雄端子挿通筒部、２８：内面（接続部）、２９：第一分離部、３０：電線接続部、４０：対向壁、５０：コイルばね（付勢手段，ばね部材）、５８，１０４：第二分離部、６０，１０６：延出板部、６６，７８：第一板金具、６８，８０：第二板金具、７４，８４：凸状部